(57)【要約】【課題】間仕切壁を勾配天井面に接合する際に容易かつ正確に設置可能で、しかもコストの削減および施工性の向上を図ることができる、優れた間仕切構造を提供することにある。【解決手段】建物内（住宅Ｔ）に設けられた間仕切構造１であって、勾配天井側に配置される上部ランナー２と、床側に配置される下部ランナー３と、上端が上部ランナー２に固定され、下端が下部ランナー３に固定される柱状の複数の支持材５と、それらの支持材５に固定される面材８とを備え、上部ランナー２は、下向き開口の溝型材により構成され、かつ天井の勾配に対応して折り曲げ可能なヒンジ部６を有し、下部ランナー３は上向き開口の溝型材により構成されていることとした。【選択図】　　　図１
2004092369.tif 000002
【特許請求の範囲】
【請求項１】
建物内に設けられた間仕切構造であって、勾配天井側に配置される上部ランナーと、床側に配置される下部ランナーと、上端が上部ランナーに固定され、下端が下部ランナーに固定される柱状の複数の支持材と、それらの支持材に固定される面材とを備え、前記上部ランナーは、下向き開口の溝型材により構成され、かつ前記天井の勾配に対応して折り曲げ可能なヒンジ部を有し、前記下部ランナーは上向き開口の溝型材により構成されていることを特徴とする間仕切構造。
【請求項２】
請求項１記載の間仕切構造において、前記複数の支持材のうち、壁側に配置される支持材が横向き開口の溝型材からなる壁部ランナーにより構成されていることを特徴とする間仕切構造。
【請求項３】
請求項１記載の間仕切構造において、前記複数の支持材の一部が鋼製であることを特徴とする間仕切構造。
【請求項４】
請求項１記載の間仕切構造において、前記間仕切には開口部が設けられ、前記複数の支持材のうち、前記開口部周辺の支持材が木材で形成されていることを特徴とする間仕切構造。
【請求項５】
請求項１記載の間仕切構造において、前記下部ランナーは床材に固定されていることを特徴とする間仕切構造。
【請求項６】
請求項１記載の間仕切構造において、床材上に前記下部ランナーおよびフローリングが設けられ、前記下部ランナーは前記フローリングに囲まれていることを特徴とする間仕切構造。
【請求項７】
請求項１記載の間仕切構造において、近接して隣り合う前記鋼製支持材間に石膏ボードが差し込まれていることを特徴とする間仕切構造。
【請求項８】
請求項１記載の間仕切構造において、前記柱状の支持材は、接続金具によってその長さ方向に分割又は折り曲げ可能に構成されていることを特徴とする間仕切構造。
【請求項９】
請求項８記載の間仕切構造において、前記支持材は角筒状又は角柱状であり、前記接続金具は、長さ方向に分割された支持材同士を折り曲げ可能に接続するための蝶番と、支持材同士の接続部に取り付けられて支持材同士を柱状に保持するための添板とを含むことを特徴とする間仕切構造。
【請求項１０】
請求項８記載の間仕切構造において、前記支持材は角筒状又は角柱状であり、前記接続金具は、長さ方向に分割された支持材同士の接続部を覆うように取り付けられる溝型部材で構成されていることを特徴とする間仕切構造。
【発明の詳細な説明】
【０００１】
【発明の属する技術分野】
本発明は、建物内に設けられる間仕切構造に関する。
【０００２】
【背景の技術】
従来、住宅等の建物には内部空間を区画する間仕切壁が設けられている。間仕切壁は、例えば、予めパネル化した間仕切パネルを部屋内に組み付けること等により形成される。この間仕切パネルは、芯材を枠状に組んだ枠体の表面に石膏ボード等の壁面材を貼ることにより形成されている。
【０００３】
一方、図１８に示すように、複数の建物ユニット４０および屋根ユニット４０Ａ，４０Ｂ，４０Ｃを組み合わせて構築された勾配屋根を有するユニット式建物３０では、小屋裏である屋根ユニット４０Ａ，４０Ｂ，４０Ｃ内の空間が間仕切壁５０により区画されて居室等に利用されている。この際、間仕切壁５０が屋根ユニット４０Ａ，４０Ｂの勾配天井面と床面との間に設けられることがある。このような間仕切壁５０は、間仕切パネルの上端面を勾配天井面の傾斜に応じて斜めに切り欠き、この上端面を勾配天井面に接合することにより形成されている。
【０００４】
また、鋼製の柱状支持材を用いた間仕切り構造として、例えば、特許文献１に記載の技術も知られている。
【０００５】
【特許文献１】
特開平１０−１４０６４７
【０００６】
【発明が解決しようとする課題】
しかし、このような接合構造では、勾配天井面の傾斜角度に応じて、上端面の傾斜角度が異なる複数の間仕切パネルが必要となるため、部材数の増加によりコスト高になるという問題があった。また、間仕切パネルの上端面を勾配天井面に接触させて固定するので、上端面の傾斜角度に加工上や組立て上の誤差が生じると、間仕切パネルを正しい位置に設置できなかったり、勾配天井面と間仕切パネルとの間に隙間が発生したりする。このため間仕切パネルを正確な位置に設置するには、上端面を精度よく加工してその傾斜角度を厳密に管理しなければならず、施工に手間がかかるという問題もあった。また、勾配天井の高さについては、高いところでは４ｍ以上にも及ぶ場合がある。その際に用いる間仕切り部材は長尺になり、運搬や搬入に支障をきたす問題も生じる。
【０００７】
本発明は、間仕切壁を勾配天井面に接合する際に容易かつ正確に設置可能で、しかもコストの削減および施工性の向上を図ることができる、優れた間仕切構造を提供することにある。
【０００８】
【課題を解決するための手段】
本発明は、建物内に設けられた間仕切構造であって、勾配天井側に配置される上部ランナーと、床側に配置される下部ランナーと、上端が上部ランナーに固定され、下端が下部ランナーに固定される柱状の複数の支持材と、それらの支持材に固定される面材とを備え、上部ランナーは、下向き開口の溝型材により構成され、かつ天井の勾配に対応して折り曲げ可能なヒンジ部を有し、下部ランナーは上向き開口の溝型材により構成されている構造とした。
【０００９】
このような本発明によれば、上部ランナーおよび下部ランナーをそれぞれ天井側と床側に固定させることで、間仕切の配置場所を予め決定することができるため、間仕切の施工を容易かつ正確に行うことができる。
【００１０】
上部ランナーと下部ランナーは、それぞれ上向きおよび下向き開口となっているため、各ランナーをボルトやビス等で天井面や床面に接合する際や支持材を各ランナーに接合する際に、接合作業を容易に行うことができる。また、上部ランナーと下部ランナーに固定される複数の支持材と、支持材に固定された面材を備えることで、間仕切をより強固な構造とすることができ、耐久性に優れた間仕切構造を構築できる。
【００１１】
この上部ランナーは、ヒンジ部を予め勾配天井の傾斜角度に合わせて加工しているため、天井勾配に対応して折り曲げ可能な構造となっている。このように形成することで、勾配天井面と上部ランナーの接地面の隙間や誤差が発生しにくく、作業期間の短縮化を図り、上部ランナーの取り付け作業を容易かつ正確に行うことができる。また、傾斜角度に合わせた部材を複数配置する必要がないため、部材コストおよび人件費の削減に効果的である。
【００１２】
前記複数の支持材のうち、壁側に配置される支持材が横向き開口の溝型材からなる壁部ランナーにより形成されていることが望ましい。このように形成した場合、間仕切の位置決めを正確に行うことができるとともに、壁部ランナーをボルトやビス等で壁に接合する際に、接合作業を容易に行うことができる。また、横向き開口であるため、開口内部に木材を埋めることが可能となり、壁パネル等の面材を容易に接合することができる。
【００１３】
前記複数の支持材の一部が鋼製で形成されていることが望ましい。このように形成した場合、間仕切をより強固な構造とすることができる。すなわち、間仕切の支持材が全て木製等で形成されるよりも、頑丈な間仕切とすることができ、地震や経年劣化などに優れた構造とすることが可能である。
【００１４】
前記間仕切には開口部が設けられ、複数の支持材のうち、開口部周辺の支持材が木材で形成されていることが望ましい。このように形成した場合、開口部に木製の扉や引戸などを設置する際に、簡便に設置可能で木製独特の美観的効果に優れている。また、間仕切の表面に石膏ボード等の面材を容易に貼ることが可能になる。
【００１５】
前記下部ランナーは床材に固定されていることが望ましい。このように形成した場合、間仕切の位置決めを正確に行うことができ、施工性の向上を図ることができる。
【００１６】
床材上に下部ランナーおよびフローリングが設けられ、下部ランナーはフローリングに囲まれていることが望ましい。このように形成した場合、下部ランナーおよびフローリングを床材上に強固に固定することができる。また、下部ランナーとフローリングの隙間を埋めることで、作業中や作業後に下部ランナーの位置がずれにくくなる。
【００１７】
近接して隣り合う鋼製支持材間に石膏ボードが差し込まれていることが望ましい。このように形成した場合、強度の向上および部材数の低減を図ることが可能となる。すなわち、間仕切りの補強材である鋼製支持材の代わりに石膏ボードを差し込むことで、隣接した鋼製支持材間の隙間を埋めるとともに、鋼製支持材の設置本数を減らすことができる。
【００１８】
柱状の支持材は、接続金具によってその長さ方向に分割又は折り曲げ可能に構成されていることが望ましい。そのように構成すれば、支持材が長尺になる場合には、予め分割又は折り曲げた状態で運搬や現場への搬入を行うことができる。従って、この点からも作業性並びに施工性の向上を図ることができる。
【００１９】
支持材は角筒状または角柱状であり、接続金具は、長さ方向に分割された支持材同士を折り曲げ可能に接続するための蝶番と、支持材同士の接続部に取り付けられて支持材同士を柱状に保持するための添板とを含む構成とすることが望ましい。そのように構成すれば、運搬時等においては蝶番で折り曲げて運び、施工現場では分割された支持材同士を蝶番と添板とで柱状に接続して用いる方法を採用することができる。
【００２０】
支持材は角筒状または角柱状であり、接続金具は、長さ方向に分割された支持材同士の接続部を覆うように取り付けられる溝型部材で構成されていることが望ましい。この溝型部材を用いた場合、支持材を分割して運び、現場で柱状に接続して用いる方法を採用することができる。
【００２１】
【発明の実施の形態】
以下、本発明の実施の形態について、図面を参照して説明する。
図１は本発明に係る間仕切り壁の斜視図である。
この実施の形態では、本発明を２階建て住宅に適用した例を示す。
【００２２】
図１は、住宅Ｔの居室空間を区切る間仕切壁１を示している。この間仕切壁１が配置される住宅Ｔは、勾配屋根を有する２階建ての住宅で、１階はリビングとダイニングのほか必要な水廻り設備が配置されている。階段を上った２階右側に寝室が配置され、廊下を通って左側に進むと子供部屋が２部屋並んで配置された、間口が横長の住宅となっている。この実施形態では２階の居室（寝室、子供部屋）間を区切る壁として間仕切壁１を適用しており、居室（寝室、子供部屋）の天井の一部は勾配天井となっている。
【００２３】
間仕切壁１は、勾配天井側に固定される天井ランナー２と、床側に固定される床ランナー３と、壁側に固定される壁部ランナー４と、柱状の複数の支持材５によって構成されている。支持材５は、枠状の鋼製支持材５ａと木製支持材５ｂと横芯材５ｃと縦芯材５ｄにより構成され、上端が天井ランナー２に固定され、下端が床ランナー３に固定されている。壁ランナー４と支持材５と天井ランナー２の両側端面には鋼製プレート７が設けられている。鋼製プレート７は、後述する石膏ボード８を複数の支持材５等に接合する際に、より強固に接合する。木製支持材５ｂおよび横芯材５ｃは、間仕切壁１に設けられる開口部Ｋの開口廻りを形成している。床ランナー３は上向き開口の鋼製溝型材で、壁部ランナー４は横向き開口の鋼製溝型材で形成されている。
【００２４】
図２に天井ランナー２の詳細を示す。天井ランナー２は、下向き開口の鋼製溝型材で形成され、天井勾配の傾斜角度に対応して折り曲げ可能なうす肉ヒンジ部６を有している。従って、うす肉ヒンジ部６を予め勾配天井の傾斜角度に合わせて加工しておくことで、勾配天井面と天井ランナー２の接地面の隙間や誤差が発生しにくく、作業期間の短縮化を図り、天井ランナー２の取り付け作業を容易かつ正確に行うことができる。また、傾斜角度に合わせた部材を複数配置する必要がないため、部材コストおよび人件費の削減に効果的である。
【００２５】
また、各ランナーは溝型状に開口しているため、各ランナーをボルトやビス等で天井や床等に接合する際や支持材５を各ランナーに接合する際に、接合作業を容易に行うことができ、施工性が向上する。
【００２６】
図３は、天井ランナー２および床ランナー３の接合部を示す側面図である。天井１０は、天井下地１１との間を鋼製天井９で支持され強固に形成されている。天井ランナー２は、予め加工されており、隙間や誤差を最小限に抑えた状態で、天井下地１１にランナービス１２で接合し固定されている。また、間仕切壁１の表面に張られる石膏ボード８は、石膏ボードビス１３によって天井ランナー２と接合している。
【００２７】
住宅Ｔの基礎Ａ上に固定された床１４は、床パネル１５とフローリング１６で構成され、フローリング１６は床ランナー３を隙間無く囲った形態となっている。床ランナー３は、床パネル１５に直接、ランナービス１２を接合し強固に固定されている。石膏ボード８は、石膏ボードビス１３で床ランナー３と接合される。従って、間仕切壁１の位置決めを正確に行うことができ、天井ランナー２および床ランナー３を強固に接合することが可能である。また、床ランナー３の接合形態によれば、床ランナー３とフローリング１６の隙間を埋めることで、作業中や作業後に床ランナー３およびフローリング１６の位置がずれにくくなる。
【００２８】
図４は、壁部ランナー４の接合部を示す平面図である。壁パネル１７は、芯材１８と壁下地１９で構成された住宅Ｔの構造壁である。壁部ランナー４は壁パネル１７にランナービス１２で接合され、壁部ランナー４と石膏ボード８は、石膏ボードビス１３で接合され固定している。
【００２９】
また、隅部Ｓに配置され、壁部ランナー４ａと近接配置された鋼製支持材５ａとの間に、石膏ボード８が差し込まれた形態となっている。従って、強度の向上および部材数の低減を図ることが可能となる。つまり、間仕切りの補強材である鋼製支持材５ａの代わりに石膏ボード８を差し込むことで、隣接した壁部ランナー４ａと鋼製支持材５ａの隙間を埋め、鋼製支持材５ａの設置本数を減らすことができる。
【００３０】
図５は、開口部Ｋの構造を示す斜視図である。開口部Ｋは２本の木製支持材５ｂと、それらを釘等で接合した横芯材５ｃおよび、横芯材５ｃと天井ランナー２を支持する縦芯材５ｄで形成されている。木製支持材５ｂの上端および下端は、それぞれ天井ランナー２と床ランナー３にランナービス１２（図示しない）で接合されている。開口部Ｋを形成する木製支持材５と横芯材５ｃは、全て木製で形成されるため、間仕切壁１の表面に石膏ボード８を貼り付ける際に石膏ボードビス１３を容易に打ちつけることが可能である。
【００３１】
図６〜１３に、住宅Ｔにおける間仕切壁１の施工手順を示す。これらの図において、住宅Ｔの構造壁（壁パネル１７）および床パネル１４等の躯体組立完了後、間仕切壁１を形成する床ランナー３を床パネル１４上へ固定配置する。この際、複数の床ランナー３同士は、所定の開口間隔（開口部Ｋ）を離して配置する。
【００３２】
床ランナー３をランナービス１２で固定後、床パネル上にフローリング１６を貼る。フローリング１６は、床ランナー３に被らないよう隙間なく形成されている。フローリング１６を接着剤等で貼り付け後、壁パネル１７上に石膏ボード８を石膏ボードビス１３で貼りつける。
【００３３】
天井捨て貼り後、天井１０に天井下地１１の枠組み作業を行い、天井下地１１に石膏ボード８を石膏ボードビス１３で貼る。（図示しない）これらの作業後、天井ランナー２をランナービス１２で天井１０に取り付ける。床ランナー３は、既に設置されているため天井ランナー２は、床ランナー３と容易かつ正確に対向配置させることができ、間仕切壁１の歪みを最小限に抑えることができる。尚、この図９〜１３においては、便宜上、勾配天井のフラットな部分の配置形態を示しており、上述した勾配天井部分に配置可能な、うす肉ヒンジ部６を有する天井ランナー２は図示されていないが、勾配天井部分に配置する場合の施工手順も同様である。
【００３４】
天井ランナー２を配置後、壁パネル１７に壁部ランナー４をランナービス１２で取り付ける。壁部ランナー４は、天井ランナー２および床ランナー３と所定の間隔を離して配置されている。壁部ランナー４を配置後、開口周り枠組み（開口部Ｋ）を取り付ける。開口周り枠組み（開口部Ｋ）は、２本の木製支持材５ｂを天井ランナー２および床ランナー３にそれぞれ固定する。また、２本の木製支持材５ｂに、横芯材５ｃが固定され、横芯材５ｃと天井ランナー２の間には、縦芯材５ｄがそれぞれ釘等で固定される。
【００３５】
開口周り枠組み（開口部Ｋ）を組立後、複数の鋼製支持材５ａを天井ランナー２および床ランナー３にそれぞれランナービス１２で固定する。鋼製支持材５ａを配置後、ボード受け用埋木（図示しない）を取り付ける。ボード受け用埋木は、木製支持材５ｂや横芯材５ｃおよび縦芯材５ｄの穴や隙間などに木片を埋めて補修している。
【００３６】
ボード受け用埋木を取り付け後、石膏ボード８を天井ランナー２と床ランナー３と壁部ランナー４、および各支持材５（鋼製支持材５ａ，木製支持材５ｂ，横芯材５ｃ，縦芯材５ｄ）にそれぞれ石膏ボードビス１３で貼り付けて完成となる。
【００３７】
図１４は、本発明の他の実施形態を示す要部の斜視図である。この実施形態では、間仕切壁１全体をパネル化、またはその骨組み全体をユニット化して施工する場合に好適な例を示している。
【００３８】
すなわち、天井ランナー２、および先の実施形態と同様の床ランナー３を用いる。しかし間仕切壁１をパネル化または骨組みをユニット化しやすいように、分割・組立自在な複数の金属製筒状部材２１，２２，２３，２４，２５からなる勾配用ランナーユニット２０が用いられている。
【００３９】
各筒状部材２１〜２５は薄い角筒状で、互いに嵌合させて接続できるように形成されている。筒状部材２２，２４は勾配天井に合致できるように屈曲形成されている。他筒状部材２１，２３，２５はストレートに形成されている。このランナーユニット２０は、屈曲した筒状部材２２，２４がストレートな筒状部材２１，２３，２５内に挿入されることで、全体の長さ調節を自在に行えるように構成されている。
【００４０】
ランナーユニット２０は、各支持材５ａ，５ｂとビス等で固定され、間仕切壁１の骨組みとしてユニット化される。そして、天井側に固定された天井ランナー２内に嵌め込まれ、ビス等で止めて固定される。このランナーユニット２０、および天井ランナー２で形成された側面部２６は、それぞれの側面が合わさって、側面部２６がより深く形成されている。従って、石膏ボード等の面材を張り付ける際の接地面が広くなるため、施工を容易にすることができる。
【００４１】
図１５〜図１７は、本発明の更に他の実施形態を示す。即ち、これらの実施形態では、接続金具を用いて支持材を分割又は折り曲げ可能に構成した例を示している。
【００４２】
図１５（ａ）、（ｂ）は斜視図であり、（ｃ）、（ｄ）は平面図である。
同図に示す支持材は角筒状の金属製であり、二つに分割された第１支持材５１と第２支持材５２とで構成されている。接続金具は、長さ方向に分割された第１支持材５１と第２支持材５２とを折り曲げ可能に接続するための蝶番６１と、支持材同士の接続部に取り付けられて支持材同士を柱状に保持するための添板６２とを含む構成である。添板６２は蝶番６１と対向する面側に設けられている。
【００４３】
蝶番６１はビス６３や溶接等により第１支持材５１、第２支持材５２にそれぞれ固定されている。添板６２はその長さ方向の一側半分が第１支持材５１にビスや溶接等により固定されているが、他側半分は第２支持材５２に対して施工現場で固定される構成となっている。
【００４４】
このように構成することで、運搬時等においては、図１５（ｃ）に示すように蝶番６１で折り曲げた状態で運び、施工現場では図１５（ｂ）、（ｄ）に示すように第１支持材５１と第２支持材５２とを蝶番６１と添板６２とで柱状に接続して用いる方法を採用することができる。従って、支持材が長尺になる場合には、予め分割又は折り曲げた状態で運搬や現場への搬入を行うことができ、この点からも作業性並びに施工性の向上を図ることができる。
【００４５】
図１６（ａ）、（ｂ）は斜視図、（ｃ）は平面図を示している。この図１６に示す例でも、接続金具として蝶番６１と添板６２を用いているが、ここでは蝶番６１と添板６２を、第１支持材５１及び第２支持材５２の隣り合う側面に設け、さらに、二枚用いた添板６２、６２を相対する側面に設けている構成に特徴がある。このように、添板６２を２枚用いる構成とすることで、第１支持材５１と第２支持材５２の接続強度をより高めることができる。
【００４６】
図１７（ａ）、（ｂ）は接続金具として溝型部材を用いた例を示す斜視図である。即ち、長さ方向に分割された第１支持材５１、第２支持材５２は角筒状であり、接続金具は、第１支持材５１と第２支持材５２の接続部を覆うように取り付けられる溝型部材６５で構成したものである。溝型部材６５は両方の支持材に対して溶接で固定しても良いが、ビス６３により固定しても良い。この溝型部材６５を用いた場合、支持材を分割した状態で運び、現場で柱状に接続して用いる方法を採用することができる。
【００４７】
なお、上記の接続金具を用いる実施形態では、第１支持材及び第２支持材が金属製の場合について説明したが、木製であっても本発明を適用することができる。
【００４８】
【発明の効果】
以上のように、本発明に係る間仕切構造によれば、間仕切壁を勾配天井面に接合する際に容易かつ正確に設置可能で、しかもコストの削減および施工性の向上を図ることができる。
【図面の簡単な説明】
【図１】本発明の実施形態に係る間仕切壁の構造を示す斜視図である。
【図２】本発明の実施形態に係る天井ランナーを示す斜視図である。
【図３】本発明の実施形態に係る天井および床ランナーを示す側面図である。
【図４】本発明の実施形態に係る壁部ランナーを示す平面図である。
【図５】本発明の実施形態に係る開口周りを示す斜視図である。
【図６】本発明の実施形態に係る間仕切壁の施工手順（床ランナー取り付け）を示す斜視図である。
【図７】本発明の実施形態に係る間仕切壁の施工手順（フローリング貼り）を示す斜視図である。
【図８】本発明の実施形態に係る間仕切壁の施工手順（壁側石膏ボード貼り）を示す斜視図である。
【図９】本発明の実施形態に係る間仕切壁の施工手順（天井ランナー取り付け）を示す斜視図である。
【図１０】本発明の実施形態に係る間仕切壁の施工手順（壁部ランナー取り付け）を示す斜視図である。
【図１１】本発明の実施形態に係る間仕切壁の施工手順（開口周り枠組み）を示す斜視図である。
【図１２】本発明の実施形態に係る間仕切壁の施工手順（支持材取り付け）を示す斜視図である。
【図１３】本発明の実施形態に係る間仕切壁の施工手順（間仕切壁石膏ボード貼り）を示す斜視図である。
【図１４】本発明の他の実施形態に係るランナーユニットを示す斜視図である。
【図１５】本発明の更に他の実施形態に係る柱状の支持材の構成図である。
【図１６】本発明の更に他の実施形態に係る柱状の支持材の構成図である。
【図１７】本発明の更に他の実施形態に係る柱状支持材の構成図である。
【図１８】従来の技術に係る間仕切壁の施工方法を示す斜視図である。
【符号の説明】
１，５０　間仕切壁
２　　　　天井ランナー
３　　　　床ランナー
４，４ａ　壁部ランナー
５　　　　支持材
５ａ　　　鋼製支持材
５ｂ　　　木製支持材
５ｃ　　　横芯材
５ｄ　　　縦芯材
６　　　　うす肉ヒンジ部
７　　　　鋼製プレート
８　　　　石膏ボード
９　　　　鋼製天井
１０　　　天井
１１　　　天井下地
１２　　　ランナービス
１３　　　石膏ボードビス
１４　　　床
１５　　　床パネル
１６　　　フローリング
１７　　　壁パネル
１８　　　芯材
１９　　　壁下地
２０　　　ランナーユニット
２１〜２５　金属製筒状部材
２６　　　側面部
３０　　　ユニット住宅
４０　　　建物ユニット
４０Ａ、４０Ｂ、４０Ｃ　屋根ユニット
５１　　　第１支持材
５２　　　第２支持材
６１　　　蝶番
６２　　　添板
６３　　　ビス
６５　　　溝型部材
Ａ　　　　基礎
Ｋ　　　　開口部
Ｓ　　　　隅部
Ｔ　　　　住宅
【図１】
2004092369.tif 000003
【図２】
2004092369.tif 000004
【図３】
2004092369.tif 000005
【図４】
2004092369.tif 000006
【図５】
2004092369.tif 000007
【図６】
2004092369.tif 000008
【図７】
2004092369.tif 000009
【図８】
2004092369.tif 000010
【図９】
2004092369.tif 000011
【図１０】
2004092369.tif 000012
【図１１】
2004092369.tif 000013
【図１２】
2004092369.tif 000014
【図１３】
2004092369.tif 000015
【図１４】
2004092369.tif 000016
【図１５】
2004092369.tif 000017
【図１６】
2004092369.tif 000018
【図１７】
2004092369.tif 000019
【図１８】
2004092369.tif 000020